【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
合焦すべき焦点検出領域を設定する設定手段と、
前記合焦すべき焦点検出領域と、当該合焦すべき焦点検出領域とは異なる焦点検出領域とのピントのずれ量を補正するための補正情報を記憶する記憶手段と、
前記合焦すべき焦点検出領域とは異なる焦点検出領域の焦点検出結果を前記補正情報に基づいて補正して、前記合焦すべき焦点検出領域が合焦するように焦点調節する焦点調節手段とを有することを特徴とする焦点調節装置。
【請求項２】
前記補正情報とは当該焦点調節装置から被写体までの距離に関する情報であることを特徴とする請求項１に記載の焦点調節装置。
【請求項３】
前記補正情報は、前記合焦すべき焦点検出領域における被写体距離と、当該合焦すべき焦点検出領域とは異なる焦点検出領域における被写体距離との差分であることを特徴とする請求項１又は請求項２に記載の焦点調節装置。
【請求項４】
前記補正情報は、画像信号を取得するための撮像素子の一部に配置された焦点検出用画素からの出力信号に基づくことを特徴とする請求項１乃至請求項３のいずれか１項に記載の焦点調節装置。
【請求項５】
撮像する被写体の像と前記焦点検出領域とを撮影画面に表示するファインダーを更に備え、
前記設定手段は、撮影者からの指示に基づいて、前記合焦すべき焦点検出領域を設定することを特徴とする請求項１乃至請求項４のいずれか１項に記載の焦点調節装置。
【請求項６】
合焦すべき焦点検出領域を設定する設定ステップと、
前記合焦すべき焦点検出領域と、当該合焦すべき焦点検出領域とは異なる焦点検出領域とのピントのずれ量を補正するための補正情報を記憶する記憶ステップと、
前記合焦すべき焦点検出領域とは異なる焦点検出領域の焦点検出結果を前記補正情報に基づいて補正して、前記合焦すべき焦点検出領域が合焦するように焦点調節する焦点調節ステップとを有することを特徴とする制御方法。
【手続補正２】
【補正対象書類名】明細書
【補正対象項目名】発明の名称
【補正方法】変更
【補正の内容】
【発明の名称】焦点調節装置およびその制御方法
【手続補正３】
【補正対象書類名】明細書
【補正対象項目名】０００１
【補正方法】変更
【補正の内容】
【０００１】
本発明は焦点調節装置に関する。
【手続補正４】
【補正対象書類名】明細書
【補正対象項目名】０００６
【補正方法】変更
【補正の内容】
【０００６】
本発明の一側面としての焦点調節装置は、合焦すべき焦点検出領域を設定する設定手段と、前記合焦すべき焦点検出領域と、当該合焦すべき焦点検出領域とは異なる焦点検出領域とのピントのずれ量を補正するための補正情報を記憶する記憶手段と、前記合焦すべき焦点検出領域とは異なる焦点検出領域の焦点検出結果を前記補正情報に基づいて補正して、前記合焦すべき焦点検出領域が合焦するように焦点調節する焦点調節手段とを有することを特徴とする。
【手続補正５】
【補正対象書類名】明細書
【補正対象項目名】０００７
【補正方法】変更
【補正の内容】
【０００７】
本発明の別の側面としての制御方法は、合焦すべき焦点検出領域を設定する設定ステップと、前記合焦すべき焦点検出領域と、当該合焦すべき焦点検出領域とは異なる焦点検出領域とのピントのずれ量を補正するための補正情報を記憶する記憶ステップと、前記合焦すべき焦点検出領域とは異なる焦点検出領域の焦点検出結果を前記補正情報に基づいて補正して、前記合焦すべき焦点検出領域が合焦するように焦点調節する焦点調節ステップとを有することを特徴とする。
【手続補正６】
【補正対象書類名】明細書
【補正対象項目名】００２８
【補正方法】変更
【補正の内容】
【００２８】
次に、カメラ制御回路１０は、撮影者が設定部２２を介して真の焦点検出領域を設定したかどうかを判断する（Ｓ１０７）。カメラ制御回路１０は、不図示のタイマーが経時する設定期間内に真の焦点検出領域の入力がなければ（Ｓ１０７のＮＯ、Ｓ１０８のＹＥＳ）、真の焦点検出領域を自動的に設定する（Ｓ１０９）。設定期間内であればフローはＳ１０７に戻り、Ｓ１０７で設定されればフローはＳ１１０に移行する。
【手続補正７】
【補正対象書類名】明細書
【補正対象項目名】００２９
【補正方法】変更
【補正の内容】
【００２９】
本実施例では、撮影者がＳ１０７において、被写体Ｓの顔に対応する焦点検出領域２１ａを真の焦点検出領域に設定するものとする。
【手続補正８】
【補正対象書類名】明細書
【補正対象項目名】００３０
【補正方法】変更
【補正の内容】
【００３０】
次に、カメラ制御回路１０は、焦点検出装置９及び／又は撮像素子８から見掛けの焦点検出領域（即ち、焦点検出領域２１ｉ）に関する焦点検出結果を取得する（Ｓ１１０）。コントラストが高い焦点検出領域２１ｉを使用して焦点検出が行われるため、低コントラストの焦点検出領域２１ａでＡＦし続けてかつ走者である被写体を追跡するよりも焦点検出精度は高く且つ安定する。Ｓ１１０で得られた焦点検出結果はカメラ制御回路１０の記憶部に記憶される。本実施例では、この図３のフローの以前に、事前に同一被写体の、複数の焦点検出領域２１ａ〜２１ｉの焦点検出装置９による検出結果を取得し、カメラ制御回路１０の記憶部に記憶しているものとする。カメラ制御回路１０は、この複数の焦点検出領域２１ａ〜２１ｉの焦点検出装置９による検出結果を用いて、図３のフロー内で設定された見掛けの焦点検出領域における被写体距離と、図３のフロー内で設定された真の焦点検出領域における被写体距離の差も得ることができる。
【手続補正９】
【補正対象書類名】明細書
【補正対象項目名】００３１
【補正方法】変更
【補正の内容】
【００３１】
次に、カメラ制御回路１０は、見掛けの焦点検出領域２１ｉと真の焦点検出領域２１ａのカメラと被写体までの距離（被写体距離）の差を算出する（Ｓ１１１）。
【手続補正１０】
【補正対象書類名】明細書
【補正対象項目名】００３２
【補正方法】変更
【補正の内容】
【００３２】
被写体距離の差はピント面上で被写体が遠距離では無視できるほど小さく、被写体が近づくにつれてその影響が大きくなり、単なる差では見掛けの焦点検出領域から真の焦点検出領域への変換が困難になる。そこで、カメラ制御回路１０は、Ｓ１１０で焦点検出装置９が取得した見掛けの焦点検出領域での被写体までの距離に関する距離情報に基づいてＳ１１１で算出された被写体距離の差を補正する（Ｓ１１２）。
【手続補正１１】
【補正対象書類名】明細書
【補正対象項目名】００３５
【補正方法】変更
【補正の内容】
【００３５】
次に、カメラ制御回路１０は、Ｓ１１０で得られた見掛けの焦点検出領域に関する焦点検出結果を、Ｓ１１３で補正された被写体距離の差に基づいて補正する（Ｓ１１３）。これにより、ゼッケンに対応する焦点検出領域２１ｉと顔に対応する焦点検出領域２１ａのデフォーカス量の差を補正できるので、真の焦点検出領域２１ａに精度良く且つ安定して合焦させることができる。
【手続補正１２】
【補正対象書類名】明細書
【補正対象項目名】００３７
【補正方法】変更
【補正の内容】
【００３７】
以下、図４を参照して、実施例２のカメラ制御回路１０によるＡＦ動作について説明する。実施例２も図１と同様の撮像装置を使用する。図４は、実施例２のカメラ制御回路１０によるＡＦ動作を説明するためのフローチャートであり、Ｓはステップの略である。本実施例では、撮像素子８の一部に配置された焦点検出用画素を使用する。
【手続補正１３】
【補正対象書類名】明細書
【補正対象項目名】００３８
【補正方法】変更
【補正の内容】
【００３８】
予めカメラ制御回路１０は、その記憶部又は記録媒体１６に、事前に同一被写体の複数の焦点検出領域の焦点検出結果を取得し、撮影された画像、焦点検出領域の焦点検出情報及び/又は距離情報を同時に記憶する。この撮影は、見掛けの焦点検出領域で行われるものとする。例えば、図２における構図中心の焦点検出領域２１ｉを見掛けの焦点検出領域として設定し焦点調節して撮影する。また、焦点検出領域の焦点検出情報は、焦点検出用画素の画素値であってもよいし、像ずれ量やデフォーカス量であってもよい。また、距離情報は、被写体距離の情報であってもよいし、見掛けの焦点検出領域と他の位置との被写体距離の差の情報であってもよい。
【手続補正１４】
【補正対象書類名】明細書
【補正対象項目名】００３９
【補正方法】変更
【補正の内容】
【００３９】
まず、撮影者からの入力に応答して、カメラ制御回路１０は、記憶手段に記憶された撮影画像を液晶モニタ１５に再生表示する（Ｓ２０１）。
【手続補正１５】
【補正対象書類名】明細書
【補正対象項目名】００４０
【補正方法】変更
【補正の内容】
【００４０】
次に、カメラ制御回路１０は、撮影者が、液晶モニタ１５に表示される撮影画面において真の焦点検出領域（特定領域）を設定したかどうかを判断する（Ｓ２０２）。ここでは真の焦点検出領域（特定領域）が設定されると次のＳ２０３に進むものとする。撮影者は、例えば、設定部２２を使用して図２における被写体Ｓの顔（又はその一部）を囲む領域を指定する。
【手続補正１６】
【補正対象書類名】明細書
【補正対象項目名】００４１
【補正方法】変更
【補正の内容】
【００４１】
次に、カメラ制御回路１０は、見掛けの焦点検出領域における焦点検出結果（例えば被写体距離情報）を取得する（Ｓ２０３）。次に、記録した見掛けの焦点検出領域とＳ２０２で設定された真の焦点検出領域（特定領域）の焦点検出用画素での検出結果を利用して、Ｓ２０２で設定された真の焦点検出領域（特定領域）と見掛けの焦点検出領域との被写体距離の差を算出する（Ｓ２０４）。
【手続補正１７】
【補正対象書類名】明細書
【補正対象項目名】００４２
【補正方法】変更
【補正の内容】
【００４２】
次に、カメラ制御回路１０は、Ｓ２０４で算出された被写体距離の差を、Ｓ２０３で得られた見掛けの焦点検出領域における被写体距離に基づいて補正する（Ｓ２０５）。その被写体距離の差は、Ｓ１１２と同様に、補正することが好ましい。そして、カメラ制御回路１０は、補正された被写体距離の差に基づいて見掛けの焦点検出領域における焦点検出結果を補正する（Ｓ２０６）。これに基づいて焦点状態を調節すれば、真の焦点検出領域に精度良く且つ安定して合焦させることができる。また、実施例２では、撮影者は、真の焦点検出領域（特定領域）を設定するだけで、見掛けの焦点検出領域と真の焦点検出領域（特定領域）のピント補正量（被写体距離の差）が算出されるので、操作性の向上につながる。
【手続補正１８】
【補正対象書類名】明細書
【補正対象項目名】００４５
【補正方法】変更
【補正の内容】
【００４５】
８            撮像素子
９            焦点検出装置
１０          カメラ制御回路
１５          液晶モニタ
２０          ファインダー
【手続補正１９】
【補正対象書類名】図面
【補正対象項目名】図４
【補正方法】変更
【補正の内容】
【図４】
2011048032.tif 000001